(57)【特許請求の範囲】
【請求項１】
情報処理装置であって、
他の情報処理装置との距離が所定の距離より離れていることを判定する第１判定手段と、
前記他の情報処理装置と、当該他の情報処理装置に無線で送電する送電装置との距離が所定の距離より離れていることを判定する第２判定手段と、
前記第１判定手段により前記他の情報処理装置との距離が所定の距離より離れていると判定され、かつ、前記第２判定手段により前記他の情報処理装置と前記送電装置との距離が所定の距離より離れていると判定されたことに基づき、所定の通知を行う通知手段と、を有することを特徴とする情報処理装置。
【請求項２】
前記第１判定手段は、無線通信に基づいて、前記他の情報処理装置との距離が所定の距離より離れていることを判定することを特徴とする請求項１に記載の情報処理装置。
【請求項３】
前記第２判定手段による判定は、前記他の情報処理装置と前記送電装置との距離の測定結果を前記他の情報処理装置から受信し、当該測定結果に基づいて行われることを特徴とする請求項１または２に記載の情報処理装置。
【請求項４】
前記第１判定手段は、受信電界強度の所定期間における平均値に基づいて、前記他の情報処理装置との距離が所定の距離より離れていることを判定することを特徴とする請求項１乃至３の何れか１項に記載の情報処理装置。
【請求項５】
前記第２判定手段は、前記他の情報処理装置が前記送電装置の送電範囲内にないことを判定することを特徴とする請求項１乃至４の何れか１項に記載の情報処理装置。
【請求項６】
前記第１判定手段による判定は、Ｂｌｕｅｔｏｏｔｈ（登録商標）  Ｌｏｗ  Ｅｎｅｒｇｙによる通信に基づいて行われることを特徴とする請求項１乃至５の何れか１項に記載の情報処理装置。
【請求項７】
前記所定の通知は、前記他の情報処理装置が持ちさられたことを示す通知であることを特徴とする請求項１乃至６の何れか１項に記載の情報処理装置。
【請求項８】
前記通知手段は、表示、音、振動のうち少なとも何れか一つを用いて前記所定の通知を行うことを特徴とする請求項１乃至７の何れか１項に記載の情報処理装置。
【請求項９】
前記通知手段は、前記他の情報処理装置または前記送電装置からの指示に基づいて、前記所定の通知を行うことを特徴とする請求項１乃至８の何れか１項に記載の情報処理装置。
【請求項１０】
前記通知手段は、前記他の情報処理装置と前記送電装置との間の無線電力伝送が終了したことに基づき、通知を行うことを特徴とする請求項１乃至９の何れか１項に記載の情報処理装置。
【請求項１１】
前記情報処理装置は、ウェアラブルデバイスであることを特徴とする請求項１乃至１０の何れか１項に記載の情報処理装置。
【請求項１２】
情報処理装置の制御方法であって、
他の情報処理装置との距離が所定の距離より離れていることを判定する第１判定工程と、
前記他の情報処理装置と、当該他の情報処理装置に無線で送電する送電装置との距離が所定の距離より離れていることを判定する第２判定工程と、
前記第１判定工程において前記他の情報処理装置との距離が所定の距離より離れていると判定され、かつ、前記第２判定工程において前記他の情報処理装置と前記送電装置との距離が所定の距離より離れていると判定されたことに基づき、所定の通知を行う通知工程と、を有することを特徴とする情報処理装置の制御方法。
【請求項１３】
請求項１乃至１１の何れか１項に記載の装置としてコンピュータを動作させるためのプログラム。
【発明の詳細な説明】
【技術分野】
【０００１】
本発明は、無線電力伝送を行う際のセキュリティに関する。
【背景技術】
【０００２】
従来、無線で電力を送信する送電装置と、送電装置から供給された電力を受電する受電装置とを含む無線電力伝送システムが知られている。また、装置の紛失を防ぐために、第１の装置と第２の装置とが所定の距離以上離れると警告を行う技術がある（特許文献１）。
【先行技術文献】
【特許文献】
【０００３】
【特許文献１】特開２００８−１４６６４０
【発明の概要】
【発明が解決しようとする課題】
【０００４】
無線電力伝送を行っている際に受電装置が第３者に持ちさられてしまうことが懸念される。しかしながら、ユーザは、常に受電装置及び送電装置の近くにいるとは限らず、受電装置と送電装置とが離れてしまったことをユーザが認識できない場合がある。したがって、無線電力伝送を行う際のセキュリティ技術には、ユーザの利便性の観点において改善の余地がある。
【０００５】
本発明は、上述の課題に鑑みてなされた発明であって、無線電力伝送を行っている際のセキュリティに関するユーザの利便性を向上することを目的とする。
【課題を解決するための手段】
【０００６】
上述の課題を解決するために本発明の一態様である情報処理装置は、他の情報処理装置との距離が所定の距離より離れていることを判定する第１判定手段と、前記他の情報処理装置と、当該他の情報処理装置に無線で送電する送電装置との距離が所定の距離より離れていることを判定する第２判定手段と、前記第１判定手段により前記他の情報処理装置との距離が所定の距離より離れていると判定され、かつ、前記第２判定手段により前記他の情報処理装置と前記送電装置との距離が所定の距離より離れていると判定されたことに基づき、所定の通知を行う通知手段と、を有することを特徴とする。
【発明の効果】
【０００９】
無線電力伝送を行っている際のセキュリティに関するユーザの利便性を向上することができる。
【図面の簡単な説明】
【００１０】
【図１】無線電力伝送システムの構成図である。
【図２】送電装置の構成を示す図である。
【図３】充電機器の構成を示す図である。
【図４】スマートウォッチの構成を示す図である。
【図５】スマートウォッチの動作を示すフローチャートである。
【図６】各装置の位置関係と警告を行うタイミングとの関係を示す図である。
【発明を実施するための形態】
【００１１】
本実施形態に係る無線電力伝送システムの構成を、図１を参照して説明する。図中の１０１は、本実施形態の送電装置である。１０２は、送電装置１０１から無線で送電された電力を受電可能な情報処理装置であって、受電した電力を用いてバッテリを充電する充電機器である。送電装置１０１と充電機器１０２とは、無線電力伝送を行う無線電力伝送装置ともいえる。１０３は、送電装置１０１又は／及び充電機器１０２と無線通信が可能なスマートウォッチである。スマートウォッチ１０３は、いわゆるウエラブルデバイスの１つであて、ユーザが常に身につけている状態で動作することを前提とした情報処理装置である。なお、図１に示す夫々の装置が複数台あってもよい。
【００１２】
なお、本実施形態に係る無線電力伝送システムは、磁界共鳴方式を用いて無線電力伝送を行うものとする。磁界共鳴方式は送電装置の共振器（共鳴素子）と、受電装置の共振器（共鳴素子）との間の磁場の共鳴（共振）による結合によって電力を伝送する方式である。なお、本実施形態において、磁界共鳴方式を用いた無線電力伝送システムを例にして説明するが、無線電力伝送方式（非接触電力伝送方法）はこれに限るものではなく、電磁誘導、電界共鳴、マイクロ波、レーザー等を利用した電力伝送方式を用いてもよい。
【００１３】
なお、本実施形態の無線電力伝送システムの装置間で行う通信は、Ｂｌｕｅｔｏｏｔｈ（登録商標）４．０規格に準拠する通信を用いる。Ｂｌｕｅｔｏｏｔｈ（登録商標）４．０では、Ｂｌｕｅｔｏｏｔｈ（登録商標）  Ｌｏｗ  Ｅｎｅｒｇｙ（ＢＬＥ）という比較的少ない消費電力で通信可能な通信方式が規定されている。
【００１４】
なお、本実施形態における通信はＢＬＥに準拠した通信を行うものとしたが、その他の通信規格であってもよい。例えば、無線ＬＡＮ（ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，  Ｉｎｃ）８０２．１１シリーズ）であってよい。また、ＮＦＣ（Ｎｅａｒ  Ｆｉｅｌｄ  Ｃｏｍｍｕｎｉｃａｔｉｏｎ）、ＺＩＧＢＥＥなどであってもよい。また、負荷変調や通信は独自の通信方式であってもよい。
【００１５】
続いて、無線電力伝送システムの各装置の構成について説明を行う。図２は、無線電力伝送システムの送電装置１０１の構成を示す図である。同図において、２０１は、送電装置１０１を制御する制御部である。制御部２０１は、例えばＣＰＵ（Ｃｅｎｔｒａｌ  Ｐｒｏｃｅｓｓｉｎｇ  Ｕｎｉｔ）であり、ＣＰＵが後述するメモリ２０８に記憶されている制御プログラムを実行することにより装置全体を制御する。２０２は送電装置１０１から無線電力伝送を行う際に電力を供給する電源である。なお、電源２０２は、商用電源またはバッテリである。２０３は、電源２０２から入力される直流又は交流電力を伝送帯の交流周波数電力に変換し、送電アンテナ２０５を介して受電装置に受電させるための電磁波を発生させるための送電部である。
【００１６】
２０４は、例えば、タッチパネルにより構成され、ユーザから各種入力等の受け付け及び各種情報の出力を行うユーザインターフェイス（ＵＩ）部である。なお、ＵＩ部２０４は、音による通知（スピーカは図示せず）等を行なってもよい。
【００１７】
２０６は外部装置と通信するための通信部である。通信部２０６は、ＢＬＥに準拠した無線通信を制御するためのチップおよび信号を送信するためのアンテナを含む。なお、通信部２０６は、ＢＬＥに規定されるＦｉｎｄ  ｍｅ  ｐｒｏｆｉｌｅ（ＦＭＰ）やＰｒｏＸｉｍｉｔｙ  Ｐｒｏｆｉｌｅ（ＰＸＰ）を用いて装置間の距離を計測することができる。ＦＭＰおよびＰＸＰは、受信信号レベル（受信電界強度）の所定期間における平均値レベルに基づいて、装置間の距離を測定するプロファイルである。
【００１８】
２０８は、例えば、ＨＤＤ、フラッシュメモリまたは着脱可能なＳＤカードなどの記憶媒体により構成され、各種情報を記憶するメモリである。
【００１９】
なお、送電装置１０１は、送電を専用に行う装置だけでなく、他の装置、一例としては、プリンタ、ＰＣ等の装置であってよい。
【００２０】
続いて、無線電力伝送システムの充電機器１０２の構成について図３を用いて説明を行う。３０１は充電機器１０２を制御する制御部である。制御部３０１は、例えばＣＰＵにより構成され、メモリ３０７に記憶されている制御プログラムを実行することにより装置全体を制御する。通信部３０６は、ＢＬＥに準拠した無線通信を制御するためのチップおよび信号を送信するためのアンテナを含む。通信部３０６は、ＢＬＥに規定されるＦＭＰやＰＸＰを用いて装置間の距離を計測することができる。
【００２１】
３０５は送電装置１０１からの無線電力伝送を受電するための受電アンテナである。３０３は、受電アンテナ３０５で受電した電磁波から電力を生成する受電部である。受電部３０３は、受電アンテナ３０５により受信した電磁波により共振を生じ、該共振により交流電力を得る。そして、受電部３０３は、交流電力を直流または所望周波数の交流電力に整流し出力する。３０２は、充電可能なバッテリであり、充電機器１０２が受電した電力が蓄電される。３０４は、バッテリ３０２の電圧を検出する検出部である。検出部３０４の検出結果に基づいて制御部３０１はバッテリ３０２が満充電であるか否かをおよび充電状況を検出することができる。
【００２２】
３０４は、例えば、タッチパネルにより構成され、ユーザから各種入力等の受け付け及び各種情報の出力を行ＵＩ部である。なお、ＵＩ部３０４は、音による通知（スピーカは図示せず）等を行なってもよい。３０７は、例えば、ＨＤＤ、フラッシュメモリまたは着脱可能なＳＤカードなどの記憶媒体により構成され、各種情報を記憶するメモリである。
【００２３】
なお、充電機器１０２の制御部３０１と通信部３０６は送電装置１０１から送電される電力で動作しても良い。このように構成することで、充電機器１０２は、送電装置１０１から無線電力伝送を始めるために必要な電力を保持していない場合にも、送電装置１０１と通信を開始できる。なお、充電機器１０２の一例は、デジタルカメラ、携帯電話等の装置であってよい。
【００２４】
続いて、無線電力伝送システムのスマートウォッチ１０３の構成について図４を用いて説明を行う。４０１はスマートウォッチ１０３を制御する制御部である。制御部４０１は、例えばＣＰＵにより構成され、記憶部４０４に記憶されている制御プログラムを実行することにより装置全体を制御する。４０２は、スマートウォッチ１０３の各部に電源を供給する電池である。４０４は、例えば、ＨＤＤ、フラッシュメモリまたは着脱可能なＳＤカードなどの記憶媒体により構成され、各種情報を記憶するメモリである。
【００２５】
通信部４０６は、ＢＬＥに準拠した無線通信を制御するためのチップおよび信号を送信するためのアンテナを含む。通信部４０６は、ＢＬＥに規定されるＦＭＰやＰＸＰを用いて装置間の距離を計測することができる。４０３は、例えば、タッチパネルにより構成され、ユーザから各種入力等の受け付け及び各種情報の出力を行うユーザインターフェイス（ＵＩ）部である。なお、ＵＩ部４０３は、音による通知（スピーカは図示せず）等を行なってもよい。なお、スマートウォッチ１０３は、デジタルカメラ、携帯電話等の他の装置であってもよい。
【００２６】
以上の構成を有する無線電力伝送システムにおけるスマートウォッチ１０３の動作を説明する。なお、本システムにおける無線電力伝送を行っている際のセキュリティ技術は、ユーザの利便性を向上させることを目的としている。例えば、ユーザが身に着けている装置と受電装置とが所定の距離以上離れる場合に警告を行う場合、一時的にユーザが送電装置及び受電装置と距離を意図して離れたとしても警告が行われることになる。したがって、ユーザが例えばトイレなどのために一時的に移動する際に受電装置の充電を行うために送電装置上に放置すると、警告が行われることになり使い勝手が悪かった。このような問題点を解決するための動作について説明する。
【００２７】
図５は、持ちさり監視モードがＯＮになった場合のスマートウォッチ１０３の動作を説明するフローチャートである。ここで、持ちさり監視モードとは、スマートウォッチ１０３に関連付けられた充電機器１０２の充電を行っている際に、第３者が充電機器１０２を持ち去ってしまった場合に警告を行う動作モードである。
【００２８】
なお、図５に示すフローチャートは、制御部４０１が記憶部４０４に記憶さている制御プログラムを実行し、情報の演算および加工、各ハードウェアの制御を実行することにより実現される。なお、図５に示すフローチャートに示すステップの一部または全部を例えばＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等のハードウェアで実現する構成としても良い。
【００２９】
スマートウォッチ１０３は、処理を開始すると、持ちさり監視モードがＵＩ部４０３へのユーザ操作によってオンされか否かを判定する（Ｓ５０１）。持ちさり監視モードがオンではない場合、処理を終了する。持ちさり監視モードのオンが検出された場合、通信部４０６は、充電機器１０２と無線接続を行う。なお、スマートウォッチ１０３は、充電機器１０２と通信部４０６を介して接続するためのペアリング情報を保持しているものとする。また、スマートウォッチ１０３は、送電装置１０１と通信部４０６を介して接続するようにしてもよい。送電装置１０１とのペアリング情報は、充電機器１０２から通信部４０６により受信する。なお、充電機器１０２は、送電装置１０１と無線伝力伝送のための制御情報のやり取りを行うために、通信部３０６により送電装置１０１と接続を行うものとする。
【００３０】
Ｓ５０１において無線接続が確立すると、スマートウォッチ１０３は、充電機器１０２が充電を開始したかを、充電機器１０２からの充電開始通知の受信の有無により判定する。充電開始通知は、送電装置１０１からの送電を用いて充電を開始したことを通知するためのメッセージである。
【００３１】
スマートウォッチ１０３は、通信部４０６により充電機器１０２からの充電開始通知を受信したことによって充電機器１０２が充電を開始したことを検出した場合、充電機器１０２と送電装置１０１との距離判定処理を行う（Ｓ５０４）。
【００３２】
Ｓ５０４の距離測定処理は、充電機器１０２がＦＭＰまたはＰＸＰにより送電装置１０１との距離の測定結果を通信部４０６により受信し、受信した情報に基づいて行われる。なお、Ｓ５０４の距離測定処理は、充電機器１０２から充電を行っているか否かを示す情報を通信部４０６により受信し、受信した情報に基づいて行われるようにしてもよい。即ち、スマートウォッチ１０３は、充電機器１０２から充電を行っていることを示す情報を受信した場合、送電装置１０１の送電範囲内に充電機器１０２があると判定することができる。
【００３３】
スマートウォッチ１０３は、Ｓ５０４の距離測定処理によって判定された距離に応じて、充電機器１０２と送電装置１０１との距離が所定距離離れているか否かを判定する（Ｓ５０５）。ここで、Ｓ５０５にて判定する所定距離は、１ｍとする。また、所定距離を送電装置１０１の送電範囲の距離と同様に設定するようにしてよい。また、Ｓ５０５にて判定する所定距離はユーザによる操作により設定可能にしてよい。
【００３４】
スマートウォッチ１０３は、充電機器１０２と送電装置１０１との距離が所定距離離れていないと判定した場合、一定時間の待機の後、再びＳ５０４からの処理を行う。
【００３５】
スマートウォッチ１０３は、充電機器１０２と送電装置１０１との距離が所定距離離れていると判定した場合、スマートウォッチ１０３と充電装置１０２との距離を測定する距離判定処理を行う（Ｓ５０６）。Ｓ５０６の距離判定処理は、通信部４０６のＦＭＰやＰＸＰによる通信に基づいて、スマートウォッチ１０３と充電装置１０２との距離を判定する。
【００３６】
スマートウォッチ１０３は、Ｓ５０６の距離測定処理によって判定された距離に応じて、スマートウォッチ１０３と充電機器１０２との距離が所定距離離れているか否かを判定する（Ｓ５０７）。ここで、Ｓ５０７にて判定する所定距離は、１ｍとする。また、Ｓ５０４にて判定する所定距離はユーザによる操作により設定可能にしてよい。
【００３７】
スマートウォッチ１０３は、充電機器１０２との距離が所定距離離れている判定した場合、第３者が充電機器１０２を持ち去ってしまったと判定し、警告を行う（Ｓ５０８）。Ｓ５０８における警告は、第３者が充電機器１０２を持ち去ってしまったことを通知する情報を表示することで警告を行う。また、Ｓ５０８における警告は、警告音を出力することで行われてもよい。また、Ｓ５０８における警告は、振動を発生することで行われてもよい。また、Ｓ５０８における警告は、スマートウォッチ１０３の通信部４０６による通信により充電機器１０２または送電装置１０１に警告音を発生する指示を送信することで行われてもよい。
【００３８】
スマートウォッチ１０３は、Ｓ５０８における警告を行うと処理を終了する。なお、Ｓ５０８における警告は、送電装置１０１と充電機器１０２との距離を測定し、送電装置１０１と充電機器１０２との距離が所定距離以内となった場合に終了するようにしてよい。また、Ｓ５０８における警告は、スマートウォッチ１０３と充電機器１０２との距離を測定し、スマートウォッチ１０３と充電機器１０２との距離が所定距離以内となった場合に終了するようにしてよい。
【００３９】
一方、Ｓ５０７において、充電機器１０２との距離が所定距離離れていないと判定した場合、スマートウォッチ１０３は、持ちさり監視モードがＯＦＦとなったかを判定する（Ｓ５０９）。Ｓ５０７において、持ちさり監視モードがＯＦＦとなっていない場合は、Ｓ５０３からの処理を再び行う。また、持ちさり監視モードがＯＦＦとなった場合、処理を終了する。
【００４０】
このように、スマートウォッチ１０３は、持ちさり監視対象の充電機器１０２との距離を判定するだけでなく、送電装置１０１と充電機器１０２との距離を判定したうえで警告を構成とした。このようにすることで、例えば、図６（ａ）に示すように、ユーザは充電機器１０２を所持して送電装置１０１から離れた場所に移動した場合に、ユーザ本人が充電機器１０２を所持していることを認識できるので、警告を行う必要がないと判定することができる。したがって、不必要な警告が行われることが低減できる。
【００４１】
また、スマートウォッチ１０３は、例えば、図６（ｂ）に示すように、充電機器１０２のユーザが充電機器１０２を送電装置１０１に置いて一時的に充電機器１０２と離れた場合であっても、警告を行わない。したがって、スマートウォッチ１０３は、充電機器１０２が送電装置１０１から受電している場合には、第３者の持ちさりが行われていないことが認識でき、警告を行わないので不必要な警告が行われることが低減できる。また、スマートウォッチ１０３は、例えば、図６（ｃ）に示すように、充電機器１０２のユーザが充電機器１０２を送電装置１０１に置いて一時的に充電機器１０２と離れた際に、第３者の持ちさりが行われた場合、速やかに警告を行うことができる。
【００４２】
以上説明したように、充電機器１０２のユーザの所在場所によって、充電機器１０２の第３者による持ち去りに対する警告通知を適切に行なえるようにすることができる。
【００４３】
なお、上述の実施形態において、スマートウォッチ１０３が、充電機器１０２と送電装置１０１との距離を取得し、さらに、自装置と充電機器１０２との距離を測定し、これらの距離に基づいて警告を行う構成を説明した。しかしながら、充電機器１０２が、送電装置１０１との距離を測定し、さらに、スマートウォッチ１０３との距離を測定し、これら測定した距離に基づいて警告を行うか否を決定する構成としてよい。充電機器１０２が、警告を行うと判断した場合、自装置で警告を行ってもよいし、スマートウォッチ１０３または送電装置１０１に警告を行うよう無線通信で指示するようにしてもよい。また、同様に送電装置１０１が夫々の装置との距離を測定し、自装置で警告を行うまたは他の装置に警告を行うよう無線通信で指示するようにしてもよい。また、複数台の装置それぞれが並行して警告を行う構成としてよい。
【００４４】
また、上述の実施形態において、充電機器１０２と送電装置１０１との距離および充電機器１０２とスマートウォッチ１０３との距離に基づいて、警告を行う構成とした。しかしながら、充電機器１０２と送電装置１０１との距離が離れた場合に、充電機器１０２とスマートウォッチ１０３との距離を考慮せずスマートウォッチ１０３が警告を行う構成としてよい。この場合、無線電力伝送を行う充電機器１０２が自装置と送電装置１０１との距離を測定し、測定した距離が所定の距離離れたか否かを判定する。そして、充電機器１０２は、自装置と送電装置１０１との距離が所定の距離離れている場合、無線通信でスマートウォッチ１０３に通知を行う。この通知は、送電装置１０１との距離が所定の距離離れていることを示す通知である。そして、スマートウォッチ１０３は、受信した通知に基づいて上述の警告を行うようにしてよい。なお、送電装置１０２が充電機器１０２との距離を測定し、上述の説明と同様にスマートウォッチ１０３へ通知を行ってもよい。
【００４５】
このように構成することで、充電機器１０２と送電装置１０１とが離れた場合、即座にスマートウォッチ１０３へ通知することができるので、セキュリティを向上することができる。
【００４６】
なお、上述の実施形態において、充電機器１０２と送電装置１０１との距離および充電機器１０２とスマートウォッチ１０３との距離に基づいて、警告を行う構成とした。しかしながら、スマートウォッチ１０３は、ユーザの利便性を向上する更なる通知を行う構成としてよい。例えば、充電機器１０２が満充電になった等により送電装置１０１と充電機器１０２との無線電力伝送が終了された場合、充電機器１０２の無線電力伝送が終了したことをスマートウォッチ１０３が通知してよい。この場合、充電機器１０２または送電装置１０１が、無線電力伝送の終了を判定する。この判定は、例えば、充電機器１０２が満充電となった場合に充電機器１０２から送電の停止を要求するメッセージが充電機器１０２に送信された場合に無線電力伝送が終了したと判定する。そして、無線電力伝送の終了を判定した充電機器１０２または送電装置１０１は、無線通信により無線電力伝送の終了をスマートウォッチ１０３に通知する。スマートウォッチ１０３は、充電機器１０２または送電装置１０１から無線電力伝送の終了を示す通知を受信した場合、音声、表示、振動の少なくとも一つにより充電機器１０２の無線電力伝送（充電）の終了をスマートウォッチ１０３のユーザに通知する。
【００４７】
このように構成することで、スマートウォッチ１０３は、充電機器１０２の無線電力伝送（充電）を即座に認識し、それをスマートウォッチ１０３のユーザに通知することができる。したがって、ユーザは、充電機器１０２の充電の終了を認識できるので、いつまでも充電機器１０２を送電装置１０１上に放置してしまうことを低減することができる。また、ユーザは、充電機器１０２の充電が終わり次第、充電機器１０２を送電装置１０１上から速やかに回収できるためセキュリティが向上する。
【００４８】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４９】
１０１  送電装置
１０２  充電機器
１０３  スマートウォッチ
【図１】
0006632189.tif 000002
【図２】
0006632189.tif 000003
【図３】
0006632189.tif 000004
【図４】
0006632189.tif 000005
【図５】
0006632189.tif 000006
【図６】
0006632189.tif 000007